(57)【要約】  本発明の実施形態に従う公共施設管理システムは、管理対象資源の識別情報を第１ネットワークを介して送信するタグ部と、固有の位置情報を有し、上記第１ネットワークを介して受信した上記識別情報を処理し、上記識別情報を第２ネットワークを介して送信する中間管理部と、上記第２ネットワークを介して受信した上記管理対象資源の識別情報と上記中間管理部の位置情報とに基づいて、上記管理対象資源の移動状態を含む状態情報を生成するホスト部と、を含む。本発明の実施形態によれば、近距離無線通信を用いて多数のユーザが利用する公共施設を容易にモニタリングし、効率良く管理することができる。【選択図】図１
2011501287.tif 000002
【特許請求の範囲】
【請求項１】
管理対象資源の識別情報を第１ネットワークを介して送信するタグ部と、
固有の位置情報を有し、前記第１ネットワークを介して受信した前記識別情報を処理し、前記識別情報を第２ネットワークを介して送信する中間管理部と、
前記第２ネットワークを介して受信した前記管理対象資源の識別情報と前記中間管理部の前記固有の位置情報とに基づいて、前記管理対象資源の移動状態を含む状態情報を生成するホスト部と、
を有することを特徴とする公共施設管理システム。
【請求項２】
前記タグ部の前記識別情報は車両に割り当てられ、前記タグ部は前記識別情報を前記第１ネットワークに送信するタグ装置を有し、
前記中間管理部は、前記車両割り当てられた識別情報を前記第１ネットワークを介して受信してタグ解釈情報を生成するリーダ装置と、前記識別情報を前記第２ネットワークに送受信するジグビー装置と、を有し、
前記ホスト部は、前記中間管理部から前記識別情報を受信して、前記車両の移動情報及び駐車状態情報を生成することを特徴とする請求項１に記載の公共施設管理システム。
【請求項３】
前記中間管理部の前記リーダ装置が生成する前記タグ解釈情報は、駐車者の個人情報、及び車両情報を含むことを特徴とする請求項２に記載の公共施設管理システム。
【請求項４】
前記タグ部は、前記識別情報を前記第２ネットワークを介して前記ホスト部及び前記中間管理部のうち、少なくとも１つと送受信するタグ側ジグビー装置を有し、
前記ホスト部は、前記タグ部が送信する前記識別情報と前記中間管理部が送信する前記タグ解釈情報とをマッチングして車両を識別し、前記識別された車両の移動情報と駐車状態情報を生成することを特徴とする請求項２に記載の公共施設管理システム。
【請求項５】
前記中間管理部は、前記車両を駐車させる全駐車区域の個数と、前記タグ側ジグビー装置を介して前記中間管理部と通信を遂行中のタグ部の個数と、一定時間通信を遂行した後スリープモードに進入したタグ部の個数と、を比較して、前記駐車区域の駐車状態情報を生成することを特徴とする請求項４に記載の公共施設管理システム。
【請求項６】
前記中間管理部は、前記駐車区域の駐車状態情報を表示するための表示器を有することを特徴とする請求項５に記載の公共施設管理システム。
【請求項７】
前記ホスト部は、前記車両を駐車させる駐車区域を座標化した駐車施設のマップを生成し、前記中間管理部の設置位置を座標化して前記マップにマッピングし、
前記中間管理部から前記ホスト部に前記車両の識別情報が順次転送されることによって、前記車両の移動情報及び駐車状態情報を生成して所定の表示部に表示することを特徴とする請求項２に記載の公共施設管理システム。
【請求項８】
前記ホスト部は、前記車両の移動情報、駐車状態情報、及び駐車料金情報を生成して所定の表示部に表示することを特徴とする請求項２に記載の公共施設管理システム。
【請求項９】
前記中間管理部に接続されて光量を検知する第１センサと、
前記中間管理部と接続される照明器と、を有し、
前記中間管理部は、前記車両の移動情報と前記第１センサの検知情報とに基づいて、前記照明器を制御することを特徴とする請求項２に記載の公共施設管理システム。
【請求項１０】
前記タグ部の前記識別情報は患者あるいは病院職員に割り当てられ、前記タグ部は前記識別情報を前記第１ネットワークに送信するタグ装置と、前記識別情報を前記第２ネットワークを介して前記ホスト部及び前記中間管理部のうち、少なくとも１つと送受信するタグ側ジグビー装置と、を有し、
前記中間管理部は、前記患者あるいは病院職員に割り当てられた識別情報を前記第１ネットワークを介して受信してタグ解釈情報を生成する第１リーダ装置と、前記識別情報を前記第２ネットワークと送受信する中間管理部側ジグビー装置と、を有し、
前記ホスト部は、前記識別情報を受信して前記患者あるいは病院職員のうち、少なくとも１つの位置情報を生成することを特徴とする請求項１に記載の公共施設管理システム。
【請求項１１】
前記ホスト部は、前記第２ネットワークを介して受信された前記タグ解釈情報に基づいて、前記第１リーダ装置が取り付けられた移動ベッドの位置を判断することを特徴とする請求項１０に記載の公共施設管理システム。
【請求項１２】
前記ホスト部は、前記患者に関する情報及び前記移動ベッドの位置を用いて患者移送情報を生成し、前記患者移送情報に基づいて患者処置情報を生成し、前記患者移送情報、前記患者処置情報、及び職員呼び出し情報のうち、少なくとも１つの情報を前記タグ側ジグビー装置に送信し、
前記タグ部は、前記患者移送情報、前記患者処置情報、及び前記職員呼び出し情報のうち、少なくとも１つの情報をマルチメディアデータで出力することを特徴とする請求項１１に記載の公共施設管理システム。
【請求項１３】
前記患者に割り当てられた識別情報を前記第１ネットワークを介して受信して前記タグ解釈情報を生成する第２リーダ装置と、
前記患者情報に該当する病院運用情報を前記ホスト部から受信して患者に提供する情報提供端末機と、を有することを特徴とする請求項１０に記載の公共施設管理システム。
【請求項１４】
前記患者情報に該当する病院運用情報は、診療案内情報、施設案内情報、駐車案内情報、決済案内情報、及び処方箋案内情報のうち、少なくとも１つを含むことを特徴とする請求項１３に記載の公共施設管理システム。
【請求項１５】
前記タグ部の前記識別情報は、物品、カートおよび顧客のうち少なくとも１つに割り当てられ、前記タグ部は前記識別情報を前記第１ネットワークに送信するタグ装置を有し、
前記中間管理部は、前記物品、カート及び顧客のうち少なくとも１つに割り当てられた前記識別情報を前記第１ネットワークを介して受信してタグ解釈情報を生成するリーダ装置と、前記識別情報を前記第２ネットワークと送受信するジグビー装置と、を有し、
前記ホスト部は、前記識別情報を受信して前記物品のルーティング情報及び前記物品の情報を用いて、前記物品の移動情報、前記物品の陳列情報、前記物品の在庫情報、及び前記顧客の位置情報のうち、少なくとも１つを生成することを特徴とする請求項１に記載の公共施設管理システム。
【請求項１６】
前記タグ部は、前記識別情報を前記第２ネットワークを介して前記ホスト部及び前記中間管理部のうち、少なくとも１つと送受信するタグ側ジグビー装置を有し、
前記ホスト部は、前記タグ部が送信する前記識別情報と前記中間管理部が送信する前記タグ解釈情報とをマッチングして、前記物品のルーティング情報と前記顧客の位置情報のうち、少なくとも１つを生成することを特徴とする請求項１５に記載の公共施設管理システム。
【請求項１７】
前記中間管理部は、前記ジグビー装置を介して前記タグ部から前記識別情報を受信して、前記物品と関連した広告情報、セール情報、割引情報、先着順募集情報、及び前記物品の陳列情報のうち、少なくとも１つの情報を表示する棚表示装置を有することを特徴とする請求項１５に記載の公共施設管理システム。
【請求項１８】
前記棚表示装置は、棚に陳列された物品の種類によって複数棚に設けられ、
単位グループを構成する一定個数の前記棚表示装置を管理するために、前記棚に設けられる棚管理装置を有することを特徴とする請求項１７に記載の公共施設管理システム。
【請求項１９】
前記中間管理部の前記リーダ装置は、前記棚の幾つかの区域に設けられた複数のアンテナを有し、前記タグ装置と通信した前記アンテナの設置位置に従い前記棚を区分し、前記タグ装置と通信したアンテナが複数の場合、前記棚の上の前記物品の移動情報を生成し、前記ジグビー装置は前記棚の上の物品の移動情報を前記ホスト部に送信し、
前記ホスト部は前記中間管理部から前記物品の移動情報を受信して、前記顧客の物品認知時間及び購買決定時間のうち少なくとも１つを計算して顧客嗜好情報を生成することを特徴とする請求項１５に記載の公共施設管理システム。
【請求項２０】
前記中間管理部は、
前記ジグビー装置により制御される照明器と、
前記照明器の設置エリアの照度検知値を前記ジグビー装置を介して送信する照度センサと、を有し、
前記ホスト部は、前記ジグビー装置から受信した前記照度検知値に従い前記照明器の照明制御情報を送信することを特徴とする請求項１５に記載の公共施設管理システム。
【請求項２１】
前記ホスト部は、
前記物品の移動情報が生成された後、一定時間内に前記物品の決済がなされなければ、前記物品の盗難が発生したと解釈するか、または、
前記顧客の位置情報と前記物品の移動情報とをマッチングし、前記顧客の位置情報が売り場の地図から外れたが、前記物品の決済がなされなければ、前記物品の盗難が発生したと解釈し、前記タグ部が発給された前記顧客の情報を追跡することを特徴とする請求項１５に記載の公共施設管理システム。
【請求項２２】
物品、カート及び顧客のうち少なくとも１つに割り当てられた識別情報を第１ネットワークに送信するタグ装置を有するタグ部と、
前記識別情報を受信して前記物品のルーティング情報及び前記物品の情報を用いて、前記物品の移動情報、前記物品の陳列情報、前記物品の在庫情報、及び前記顧客の位置情報のうち少なくとも１つを生成するホスト部と、
前記タグ部が送信する前記識別情報を前記第１ネットワークを介して受信してタグ解釈情報を生成するリーダ装置と、第２ネットワークを介して前記ホスト部とデータを送受信するジグビー装置と、を有する中間管理部と、
を有し、
前記中間管理部は、前記物品が陳列され、電源を供給する電源供給装置と前記電源供給装置に接続された電極を備える第１結合部とを有する棚と、
前記第１結合部の前記電極から前記電源の供給を受けて、前記棚の側面結合部に着脱可能に形成された第２結合部を有して前記棚に結合されて、前記ジグビー装置あるいは前記リーダ装置で受信された情報を表示する棚表示装置と、を有することを特徴とする公共施設管理システム。
【発明の詳細な説明】
【技術分野】
【０００１】
本発明は、公共施設管理システムに関するものである。
【背景技術】
【０００２】
ユビキタス（ubiquitous）ネットワーク技術は、時間と場所にかかわらず、多様なネットワークに自由に接続できるようにする技術を意味する。このようなユビキタスネットワーク技術は、テレマティックス通信、近距離無線通信、移動通信などの通信技術を用いて多様な方式により具現可能である。
【０００３】
最近、近距離ネットワーク技術であるＩＥＥＥ ８０２．１５．４標準を用いたジグビー（ZigBee）、無線による個体識別（Radio Frequency IDentification；ＲＦＩＤ）などが開発された。しかしながら、これらの技術は開発初期段階であって、応用分野が相当制限されている。
【発明の概要】
【発明が解決しようとする課題】
【０００４】
本発明は、駐車場、病院、ショッピングセンタなど、多数のユーザが利用する公共施設で、照明などの設備と、物品、ユーザなどの流動状況を近距離ネットワーク技術を用いて容易にモニタリングし、効率良く管理できるようにする公共施設管理システムを提供することを目的とする。
【課題を解決するための手段】
【０００５】
本発明の実施形態に従う公共施設管理システムは、管理対象資源の識別情報を第１ネットワークを介して送信するタグ部と、固有の位置情報を有し、上記第１ネットワークを介して受信された上記識別情報を受信処理し、上記識別情報を第２ネットワークを介して送信する中間管理部と、上記第２ネットワークを介して受信された上記管理対象資源の識別情報と上記中間管理部の位置情報とに基づいて、上記管理対象資源の移動状態を含む状態情報を生成するホスト部と、を含む。
【発明の効果】
【０００６】
本発明の実施形態によれば、近距離無線通信を用いて多数のユーザが利用する公共施設を容易にモニタリングし、効率良く管理することができる。
【図面の簡単な説明】
【０００７】
【図１】本発明の実施形態に従う公共施設管理システムの概略的な制御ブロック図である。
【図２】本発明の実施形態に従う公共施設管理システムのネットワークトポロジを例示的に模式化した図である。
【図３】本発明の実施形態に従う公共施設管理システムにおける第２ネットワークを介して送受信されるデータのプロトコルスタック構造図である。
【図４】本発明の実施形態に従う公共施設管理システムのジグビー装置が処理するデータパケットのデータ構造図である。
【図５】本発明の実施形態に従う公共施設管理システムのＲＦＩＤタグ装置の制御ブロック図である。
【図６】本発明の実施形態に従う公共施設管理システムのＲＦＩＤリーダ装置の制御ブロック図である。
【図７】本発明の実施形態に従う公共施設管理システムのジグビー装置の制御ブロック図である。
【図８】本発明の第１実施形態に従う公共施設管理システムの制御ブロック図である。
【図９】本発明の第１実施形態に従う公共施設管理システムのホスト部の制御ブロック図である。
【図１０】本発明の第１実施形態に従う公共施設管理システムの駐車案内装置の制御ブロック図である。
【図１１】本発明の第１実施形態に従う公共施設管理システムのタグ部の制御ブロック図である。
【図１２】本発明の第１実施形態に従う公共施設管理システムのタグが提供する案内画面の一例示図である。
【図１３】本発明の第２実施形態に従う公共施設管理システムの制御ブロック図である。
【図１４】本発明の第２実施形態に従う公共施設管理システムのホスト部の制御ブロック図である。
【図１５】本発明の第２実施形態に従う公共施設管理システムの情報提供端末機が表示する画面の例示図である。
【図１６】本発明の第３実施形態に従う公共施設管理システムの制御ブロック図である。
【図１７】本発明の第３実施形態に従う公共施設管理システムの第３ジグビー装置の制御ブロック図である。
【図１８】本発明の第３実施形態に従う公共施設管理システムの棚管理装置と棚表示装置が棚の電源供給装置と接続される回路構造の例示図である。
【図１９】本発明の第３実施形態に従う公共施設管理システムの棚管理装置と棚表示装置の設置状態図である。
【図２０】本発明の第３実施形態に従う公共施設管理システムの棚表示装置と棚との結合構造図である。
【発明を実施するための形態】
【０００８】
添付図面を参照して実施形態に従う通信システムについて詳細に説明する。
【０００９】
図１は、本発明の実施形態に従う公共施設管理システムの概略的な制御ブロック図である。
【００１０】
図１に示すように、本発明の実施形態に従う公共施設管理システムは、管理対象資源の識別情報を第１ネットワーク１を介して送信するタグ部１００と、固有の位置情報を有し、第１ネットワーク１を介して受信された識別情報を受信処理し、識別情報を第２ネットワーク５を介して送信する中間管理部２００と、第２ネットワーク５を介して受信された管理対象資源の識別情報と中間管理部２００の位置情報とに基づいて、管理対象資源の移動状態を含む状態情報を生成するホスト部３００と、を含む。
【００１１】
タグ部１００の識別情報は、物品、購買者、駐車しようとする車両、病院内の患者、職員など、移動する資源に付与できる。タグ部１００は、識別情報を第１ネットワーク１及び第２ネットワーク５のように、各々相異なるネットワークのうち、少なくとも一つに送信することができる。ここで、第１ネットワーク１はＲＦＩＤネットワークであり、第２ネットワーク５はジグビーネットワークでありうる。
【００１２】
中間管理部２００は、固定された位置に設けられて複数個のタグ部１００が発信する各識別情報を受信処理し、受信した識別情報をホスト部３００側に伝達できる。ここで、ホスト部３００は中間管理部２００の設置位置に基づいて、移動する資源の位置を検知できる。
【００１３】
また、中間管理部２００は、タグ部１００が発信する識別情報に従い、照明機器、ディスプレイ装置などの設備を自体で制御することができ、ホスト部３００の制御によって設備を制御することもできる。
【００１４】
ホスト部３００は、中間管理部２００が提供するタグ情報、あるいはタグ部１００が直接提供するタグ情報を収集及び分析して、タグ部１００で識別される各種資源の移動及び状態などを管理できる。
【００１５】
図２は、本発明の実施形態に従う公共施設管理システムが形成できるネットワークトポロジ（topology）を例示的に模式化した図であって、ジグビーネットワークを用いたネットワークトポロジを例示したものである。
【００１６】
タグ部１００、中間管理部２００、及びホスト部３００は、ジグビー通信のための構成を含んで、図２に示すようにネットワークを構成できる。
【００１７】
ここで、図２（ａ）はスター（Star）型ネットワークを例示したものであり、図２（ｂ）はメッシュ（Mesh）型ネットワークを例示したものであり、図２（ｃ）はクラスタツリー（Cluster Tree）型ネットワークを例示したものである。
【００１８】
各ネットワークで、「Ｆ」と表示されたジグビー装置はＦＦＤを意味し、「Ｒ」と表示されたジグビー装置はＲＦＤを意味し、「Ｐ」と表示されたジグビー装置はＰＡＮコーディネータを意味する。
【００１９】
ＦＦＤは、ネットワークの初期化、ノード管理、ノード情報格納などの機能を遂行するが、残りのジグビー装置が前述した３種類のネットワークのうち、いずれか１つのネットワークを構成できるようにするＦＦＤをＰＡＮコーディネータという。ＦＦＤは、ルータ機能、及びコーディネータ機能を遂行できるモジュールであって、３つ形態のネットワークを構成することができ、他のＦＦＤまたはＲＦＤ全てと通信を遂行することができる。
【００２０】
一方、ＲＦＤは、コーディネータ機能を遂行できないジグビー装置であって、ＦＦＤのコーディネーティング対象であり、スター型ネットワークのみを構成できる。
【００２１】
ここで、中間管理部２００及びホスト部３００のうち、いずれか１つがＦＦＤ機能を遂行するようにして、公共施設管理システムのネットワークを構築するようにすることができる。中間管理部２００及びホスト部３００は、プロセッサチップに搭載されるプログラムの種類、即ちネットワークレイヤ（Ｓ３；図３参照）、フレームワークレイヤ（Ｓ２；図３参照）のデータを処理するプログラムの種類によって、ＲＦＤ、ＦＦＤ、またはＰＡＮコーディネータとして動作できる。
【００２２】
図３は、本発明の実施形態に従う公共施設管理システムにおける第２ネットワーク５であるジグビーネットワークを介して送受信されるデータのプロトコルスタック構造図である。
【００２３】
図３に示すように、ジグビーネットワークで処理されるプロトコルスタックは、大別して、物理（Physical；ＰＨ）レイヤ（Layer）（Ｓ５）、メディアアクセス制御（Medium Access Control；ＭＡＣ）レイヤ（Ｓ４）、ネットワーク（Network/security）レイヤ（Ｓ３）、アプリケーションフレームワーク（Application framework）レイヤ（以下、「フレームワークレイヤ」という）（Ｓ２）及びアプリケーション／プロファイル（Application/Profiles）レイヤ（Ｓ１）を含む。ここで、ＰＨレイヤ（Ｓ５）とＭＡＣレイヤ（Ｓ４）はＩＥＥＥ標準（Standard）の領域に該当し、ネットワークレイヤ（Ｓ３）とフレームワークレイヤ（Ｓ２）はジグビー連合（Alliance）標準の領域に該当し、アプリケーション／プロファイルレイヤ（Ｓ１）はユーザ設定（User defined）の領域に該当する。ここで、アプリケーション／プロファイルレイヤ（Ｓ１）の設定方法に従い、公共施設管理システムのネットワークを設定及び制御できる。
【００２４】
図４は、本発明の実施形態に従う公共施設管理システムのジグビー装置が処理するデータパケットの形態を概略的に示すデータ構造図である。
【００２５】
図４に示すように、ジグビー通信用データパケットは、プリアンブル（Ｄ１）、パケット開始デリミッタ（Start of Packet Delimiter；ＳＰＤ）（Ｄ２）、ＰＨＹヘッダ（Ｄ３）、物理サービスデータユニット（PHY Service Data Unit；ＰＳＤＵ）（Ｄ４）などからなるが、プリアンブル（Ｄ１）は転送タイミングを同期化するために、ジグビー装置間で解釈できる一連のパルス信号を意味する。
【００２６】
ＳＰＤ（Ｄ２）は、実際のパケットデータが開始されたことを相手ジグビー装置に知らせ、ＰＨＹヘッダの解釈地点を示し、ＰＨＹヘッダＤ３はＰＨレイヤ（物理レイヤ）（Ｓ５）の解釈情報を含んでいる。
【００２７】
ＰＳＤＵ（Ｄ４）は、ルーティング情報及び公共施設の管理対象資源に関連した情報が載せられる領域である。ここで、ＰＳＤＵ（Ｄ４）には、ルーティング情報と共に管理対象資源のタグ解釈情報及びタグ識別情報と照明状態情報などの設備関連情報などとが添付される。
【００２８】
図５は、本発明の実施形態に従う公共施設管理システムのＲＦＩＤタグ装置の制御ブロック図である。
【００２９】
ＲＦＩＤタグ装置１１０は、タグ部１００に含まれて管理対象資源の識別情報を第１ネットワーク１であるＲＦＩＤネットワークに送信できる。また、ＲＦＩＤタグ装置１１０は、タグ部１００に含まれて第２ネットワーク５であるジグビーネットワークを介してデータを送受信するタグ側ジグビー装置１１５０（図８参照）に識別情報を伝達できる。
【００３０】
図５を参照すると、ＲＦＩＤタグ装置１１０は、タグアンテナ１１２、受信復調部１１４、電源部１１６、送信変調部１１８、タグ制御部１２０、及びタグメモリ１２２を含む。
【００３１】
タグアンテナ１１２は、無線チャンネルを介して情報要求信号を受信するか、送信変調部１１８で信号処理されたタグ識別情報を送信し、通常、ダイポールアンテナが使われる。
【００３２】
タグメモリ１２２は、情報コード体系を格納し、タグ制御部１２０はこれを用いてタグ識別情報を生成するが、情報コード体系は、ヘッダ情報、リーダ識別情報、誤り修正情報、タグ識別情報などから構成される。
【００３３】
受信復調部１１４は、受信された情報要求信号をデジタルデータに復調してタグ制御部１２０に伝達し、上記タグ制御部１２０は、復調された情報要求信号のコードを分析してタグ識別情報を生成する。そして、タグ制御部１２０は、通信プロトコルを具備して他のＲＦＩＤ装置との無線通信を制御する。
【００３４】
送信変調部１１８は、タグ制御部１２０で生成されたデジタル信号をＲＦ信号に変調して、タグアンテナ１１２を介して変調された信号を送信する。
【００３５】
電源部１１６はＲＦＩＤタグ装置１１０の駆動電源を供給する。このような電源部１１６は、充電方式のバッテリ、電圧安定化回路などを含むことができ、あるいはタグ部１００の駆動電源を利用することができる。
【００３６】
本実施形態に従うＲＦＩＤタグ装置１１０は、約４００ＭＨｚ〜９００ＭＨｚの周波数帯域を有するＵＨＦ信号を使用するアクティブタグまたはパッシブタグを適用できる。
【００３７】
このようなＲＦＩＤタグ装置１１０は、タグ識別情報を転送することによって、これを受信した中間管理部２００、あるいはホスト部３００が管理対象資源を識別し、その位置が追跡できるようにする。
【００３８】
図６は、本発明の実施形態に従う公共施設管理システムの中間管理部２００に含まれるＲＦＩＤリーダ装置２１０の制御ブロック図である。ＲＦＩＤリーダ装置２１０は、ＲＦＩＤタグ装置１１０が送信するタグ識別情報を受信して処理できる。
【００３９】
ＲＦＩＤリーダ装置２１０は、リーダアンテナ２１２、復調部２１４、送受信部２１６、変調部２１８、リーダ制御部２２０、及びリーダメモリ２２２を含む。
【００４０】
リーダメモリ２２２には、タグメモリ１２２のように、コード分析体系が記録されているので、リーダ制御部２２０はコード分析時にこれを利用するようにし、タグ解釈情報をリーダメモリ２２２に格納することができる。
【００４１】
リーダアンテナ２１２は、無線チャンネルを介して情報要求信号を送信するか、外部からタグ識別情報を受信する。
【００４２】
送受信部２１６は、ＲＦ信号形態のタグ情報を処理してベースバンド信号に変換し、リーダ制御部２２０で生成された情報要求信号が変調部２１８を通じて中間周波信号に変換されれば、これをＲＦ信号に変換してリーダアンテナ２１２へ伝達する。
【００４３】
復調部２１４は、信号処理されたタグ識別情報をデジタルデータに復調してリーダ制御部２２０へ伝達する。
【００４４】
リーダ制御部２２０は、通信プロトコルを備えてＲＦＩＤ通信を制御し、ＲＦＩＤタグ装置１１０の位置を検知するために周期的に情報要求信号を送出する。
【００４５】
リーダ制御部２２０は、復調部２１４でデジタル信号に変換されたタグ識別情報のコードを分析するが、この際、データフォーマットを変換し、必要な情報を抽出するためにデジタルフィルタリングを遂行する。ここで、タグ識別情報から管理対象資源を識別できる。
【００４６】
リーダ制御部２２０は、識別された情報を中間管理部２００に含まれたジグビー装置２３０（図７参照）へ伝達できる。
【００４７】
図７は、本発明の実施形態に従う公共施設管理システムの中間管理部２００に含まれるジグビー装置２３０の制御ブロック図である。
【００４８】
ジグビー装置２３０は、アンテナ２３１、ＲＦ受信モジュール２３２、ＲＦ送信モジュール２３８、位相同期回路（Phase Locked Loop；ＰＬＬ）２３４、電力制御回路２３６、ＭＡＣ処理モジュール２４０、及び制御モジュール２４２を含んでなされる。
【００４９】
ＲＦ受信モジュール２３２、ＲＦ送信モジュール２３８、位相同期回路２３４、及び電力制御回路２３６は、ジグビープロトコルスタックのＰＨレイヤ（Ｓ５、図３参照）に該当する動作を処理する構成部であって、ＲＦ通信構造とネットワークトポロジを決定する。
【００５０】
ＲＦ受信モジュール２３２とＲＦ送信モジュール２３８は、タグ部１００及びホスト部３００からジグビー通信方式により伝えられたタグ識別情報、タグ解釈情報などをＲＦ信号及びベースバンド信号に処理する。
【００５１】
位相同期回路２３４は、ＲＦ受信モジュール２３２とＲＦ送信モジュール２３８が中間周波数信号を合成するように発振周波数信号を提供し、電力制御回路２３６は受信信号の強さを判別して送信電力量を調整する機能を遂行する。
【００５２】
ＲＦ受信モジュール２３２とＲＦ送信モジュール２３８は、直接シーケンススペクトラム拡散（Direct Sequence Spread Spectrum；ＤＳＳＳ）を利用し、２．４ＧＨｚ帯域の場合、３２ＰＮコード長のオフセット４相位相変調（Offset-Quadrature Phase Shift Key：ＱＰＳＫ）変調方式が使用され、１ＧＨｚ以下帯域の場合、１５ＰＮコード長の２相位相変調（Binary Phase Shift Key：ＢＰＳＫ）変調方式が用いられる。
【００５３】
メディアアクセス制御（Medium Access Control；ＭＡＣ）処理モジュール２４０は、ＰＨレイヤ（Ｓ５、図３参照）のデジタル処理が終わると、転送されたデータフレーム構造を解析してフレームを承認し、エラーを検知して（Error Detection、ＣＲＣまたはチェックサム（Check sum）を通じて検知する）再転送するか否かを決定し、パケットルーティングを処理する。ＭＡＣ処理モジュール２４０は、初期のハードウェアネットワーク接続を処理する構成部であって、時間同期のためのビーコン及び保証タイムスロット（Guaranteed Time Slot；ＧＴＳ、衝突／遅延防止を可能にする）と関連した付加的フレーム構造を提供し、衝突回避機能付きキャリア感知多重アクセス（Carrier Sense Multiple Access with Collision Avoidance；ＣＳＭＡ−ＣＡ）方式によりチャンネル接続を処理する。
【００５４】
一方、制御モジュール２４２は、残りのＭＡＣレイヤの機能（上記ＭＡＣ処理モジュール（ＭＡＣハードウェア（Hardware-MAC））と対応して「ＭＡＣソフトウェア（Software-MAC）」という）、ネットワークレイヤ（Ｓ３、図３参照）の機能、フレームワークレイヤ（Ｓ２、図３参照）の機能を遂行してネットワークトポロジを構成し、アプリケーション／プロファイルレイヤ（Ｓ１、図３参照）の機能を遂行してデジタルデータを処理する。
【００５５】
制御モジュール２４２は、ホスト部３００と汎用非同期送受信回路（Universal Asynchronous Receiver/Transmitter；ＵＡＲＴ）、インターネット（ＴＣＰ／ＩＰ）、スイッチハブ、直列／並列ケーブルのような有線ネットワークを介して接続されてもよく、タグ解釈情報、タグ識別情報、設備状態情報などのデジタルデータをホスト部３００へ伝達する。
【００５６】
図８は本発明の第１実施形態に従う公共施設管理システムの制御ブロック図であって、本発明を駐車管理システムに適用した場合を例示したものである。
【００５７】
図８に示すように、第１実施形態に従う駐車管理システムは、車両に与えられるタグ部１１００と、駐車施設内での車両の移動情報、駐車状態情報、照明情報などを生成するホスト部１３００と、を含む。ここで、タグ部１１００とホスト部１３００との間のデータ送受信を中継及び処理する中間管理部２００として、タグ認識器１２１１、第２ジグビー装置１２５５、第１センサ１２５７、照明器１２５８、第２センサ１２５９、及び第１表示器１２５６などが含まれてもよい。
【００５８】
駐車施設の空間は、大別して、駐車区域、通行区域、駐車ブロック、及び駐車階に区分できるが、駐車区域は車両が駐車される単位区域を意味し、通行区域は駐車区域の間の車両が移動する区域を意味する。また、駐車ブロックは所定個数の駐車区域がグループをなして表示される区域を意味し、駐車階は駐車施設の階数を意味する。
【００５９】
照明器１２５８は、建物の天井に規則的に設けられて所定区域をカバーするが、普通駐車ブロック当たり１つずつ設置され、第２ジグビー装置１２５５と共に設置される。照明器１２５８は、蛍光灯、発光ダイオード（Light Emitting Diodes；ＬＥＤ）等、多様な装置を備えてもよく、本実施形態では低電力のＬＥＤが使われるものとする。このような照明器１２５８と第２ジグビー装置１２５５は、建物の天井に規則的に設けられるので、ホスト部１３００は第２ジグビー装置１２５５の設置エリアを座標化して駐車区域を管理することができる。
【００６０】
第１センサ１２５７は照度センサとして天井に設置され、第２センサ１２５９は駐車区域に車両が存在するか否かを検知できるセンサとして、超音波センサ、地磁気センサ、熱センサ、動きセンサなどを備え、駐車区域の床に設置できる。これらのセンサ１２５７、１２５９は、第２ジグビー装置１２５５と接続される。
【００６１】
このような構成によって、第１センサ１２５７は、光量を検知して第２ジグビー装置１２５５へ伝達し、第２ジグビー装置１２５５は、照度環境に従い照明器１２５８の駆動回路または電源を制御することによって、照明器１２５８をオン／オフまたはディミング（dimming）させることができる。また、第２センサ１２５９が車両を検知すれば、第２ジグビー装置１２５５は照明器１２５８を動作させることができる。
【００６２】
第２センサ１２５９が、自体が設けられた駐車区域に車両が存在するか否かを検知して第２ジグビー装置１２５５へ伝達し、第２ジグビー装置１２５５が、駐車区域の駐車状態情報を生成してホスト部１３００へ伝達することによって、ホスト部１３００は、全駐車区域を監視できる。
【００６３】
第１表示器１２５６は、電光板、警告灯等を備え、駐車者に駐車案内情報を提供するが、本実施形態では小型電光板を備え、駐車ブロック当たり１つずつ設けられるものとする。
【００６４】
タグ部１１００は、車両が駐車施設に進入する場合、出入口で発給されるか、事前に登録された者に発給され、ＲＦＩＤタグ装置１１１０及びタグ側ジグビー装置１１５０を含む携帯装置で具現できる。
【００６５】
タグ部１１００は小型表示画面を備えて、タグ側ジグビー装置１１５０で受信された駐車関連情報をユーザに表示できる。ここで、駐車者はタグ部１１００を通じて駐車状態情報を確認して車両を駐車させることができ、駐車料金情報を確認して料金を精算できる。また、タグ部１１００は、動きセンサを備えて、検知結果に従ってスリープモードまたはアクティブモードで動作することによって、消費電力を低減することができる。
【００６６】
タグ認識器１２１１は、タグ部１１００のＲＦＩＤタグ装置１１１０と通信を遂行して車両情報を収集する装置であって、ＲＦＩＤリーダ装置１２１０及び第１ジグビー装置１２５０を含む。ＲＦＩＤリーダ装置１２１０は、ＲＦＩＤタグに関する情報を受信処理するＲＦＩＤリーダに該当する装置を適用できる。このようなタグ認識器１２１１は、駐車場の外部出入口、ショッピングモールと駐車場との間の出入口、駐車階と駐車階との間の出入口などに設置できる。
【００６７】
ホスト部１３００は、第２ネットワーク５を介してデータを送受信する第３ジグビー装置１３４０を含む。ここで、ホスト部１３００は第３ジグビー装置１３４０を通じて、タグ部１１００のタグ側ジグビー装置１１５０、タグ認識器１２１１の第１ジグビー装置１２５０、照明器１２５８などと接続された第２ジグビー装置１２５５とデータを送受信できる。
【００６８】
ホスト部１３００は、第３ジグビー装置１３４０で受信された駐車関連情報を収集及び管理し、データベース化する。ここで、ホスト部１３００は第３ジグビー装置１３４０を通じて、タグ部１１００のタグ側ジグビー装置１１５０に駐車関連情報を送信して、駐車者がタグ部１１００を通じて駐車関連情報を確認できるようにする。
【００６９】
また、ホスト部１３００は、駐車しようとする駐車者、あるいは駐車管理者に駐車関連情報を表示するために、駐車案内装置１３１０側にデータを提供できる。
【００７０】
例えば、駐車管理システムがショッピングモールの駐車場に具現された場合、駐車者はショッピングを終えた後、駐車場で自分の車両を探すようになる。この場合、上記駐車案内装置１３１０は、ショッピングモールと駐車場との間の出入口に設けられて、駐車位置情報、駐車料金情報などを案内する装置であって、キオスク（ＫＩＯＳＫ）形態で備えられてもよい。
【００７１】
このような構成に従って、タグ部１１００の発給を受けた車両が通行区域を走行するか、駐車ブロックに進入して第２ジグビー装置１２５５の通信エリアを通り過ぎる場合、第２ジグビー装置１２５５はタグ側ジグビー装置１１５０と通信を開始すると共に、照明器１２５８を動作させることができる。第２ジグビー装置１２５５は、照明器のオン／オフの状態をホスト部１３００の第３ジグビー装置１３４０に送信することができ、ここで、ホスト部１３００は駐車施設内の照明状態を検知して管理できる。
【００７２】
そして、タグ部１１００の発給を受けた車両がタグ認識器１２１１の周囲を移動する場合、タグ認識器１２１１のＲＦＩＤリーダ装置１２１０は、タグ部１１００のＲＦＩＤタグ装置１１１０からタグ識別情報の伝達を受けて、これを解析する。ここで、タグ識別情報は、タグ部１１００の発給を受けた駐車者の個人情報、車両情報を含むが、例えば、個人情報は、駐車者の名前、住所、電話番号などであり、車両情報は、車種、車両番号などでありうる。タグ認識器１２１１の第１ジグビー装置１２５０は、解釈された情報、即ち個人情報、車両情報と共にタグ識別情報をホスト部１３００の第３ジグビー装置１３４０へ伝達し、ホスト部１３００は受信された情報をデータベース化する。
【００７３】
タグ部１１００のタグ側ジグビー装置１１５０は、第２ジグビー装置１２５５の通信エリアを通り過ぎながらタグ識別情報を伝達し、第２ジグビー装置１２５５はタグ識別情報を第３ジグビー装置１３４０へ伝達する。
【００７４】
このように、タグ部１１００のタグ側ジグビー装置１１５０、第２ジグビー装置１２５５、及びホスト部１３００の第３ジグビー装置１３４０は、第２ネットワーク５を基盤として近距離ネットワークシステムを構成している。このような場合、タグ部１１００のタグ側ジグビー装置１１５０はＲＦＤモジュールを備え、第２ジグビー装置１２５５とタグ認識器１２１１の第１ジグビー装置１２５０はＦＦＤモジュールまたはＰＡＮコーディネータを備えてもよい。ホスト部１３００の第３ジグビー装置１３４０はＰＡＮコーディネータを備えてもよい。
【００７５】
第３ジグビー装置１３４０は、第２ジグビー装置１２５５と第１ジグビー装置１２５０の周波数チャンネルとＰＡＮ ＩＤを設定できる。例えば、駐車階の階数は周波数チャンネルを区別して設定する基準にすることができ、駐車ブロックに与えられた表示器はＰＡＮ ＩＤを区別して設定する基準にすることができる。
【００７６】
また、タグ部１１００の発給を受けた車両が通行を止めて、駐車区域に停車した場合、駐車区域に与えられた表示器は、ネットワーク（ＮＷＫ）ＩＤを区別して設定する基準にすることができる。
【００７７】
例えば、１階は１チャンネル、１階のＡブロックはＰＡＮ ＩＤ「０１」（２バイトで表現できる）、１階Ａブロックの第３駐車区域はＮＷＫ ＩＤ「０３」などに設定することによって、各ジグビー装置は干渉現象無しでジグビー通信を遂行することができる。また、車両が駐車された場合にはこの車両にＮＷＫ ＩＤが割り当てられるので、駐車区域にどんな車両が駐車されたかを知ることができる。この際、車両の識別、詳細には車両番号の識別はＲＦＩＤ通信と連動することによって可能である。
【００７８】
また、第２ジグビー装置１２５５は、自分の通信エリアに一定個数の駐車区域が割り当てられており、現在、自分との通信を遂行中のタグ、または一定時間以上通信を遂行し、スリープモードに入ったタグの個数を検知することで、駐車ブロックが満車状態か、または幾つの駐車区域が空いているかなどの駐車状態情報を生成できる。第２ジグビー装置１２５５は、駐車状態情報をホスト部１３００へ伝達し、ホスト部１３００は全駐車区域を監視できる。
【００７９】
ここで、ホスト部１３００は、タグ認識器１２１１を通じて既に格納された個人情報及び車両情報をタグ識別情報とマッチングして、第２ジグビー装置１２５５のエリアを通り過ぎる車両を識別できる。ホスト部１３００は、識別された車両情報を伝達する第２ジグビー装置１２５５の座標情報を地図にマッピングすることによって、車両の移動情報を記録できる。
【００８０】
第２ジグビー装置１２５５は、自分の駐車ブロックに駐車区域が確保されていると判断された場合、第１表示器１２５６を動作させることによって、駐車空間を探している駐車者に駐車案内サービスを提供できる。ここで、第１表示器１２５６は点滅または矢印のような簡単な記号を表示することで、駐車者が空いている駐車区域を遠いところでも見つけられるようにすることができる。
【００８１】
駐車案内装置１３１０は、ホスト部１３００から駐車状態情報、車両情報、駐車時間情報、駐車料金情報などの転送を受けて、ショッピングを終えて車両へ戻る駐車者にこれを案内することで、駐車者が容易に自分の車両を探して、料金を精算できるようにすることができる。
【００８２】
図９は、本発明の第１実施形態に従う公共施設管理システムのホスト部１３００の制御ブロック図であって、駐車管理システムに適用された場合を例示したものである。
【００８３】
図９に示すように、ホスト部１３００は、ネットワークインターフェース１３２０、データ解析モジュール１３２２、Ｄ／Ｂ管理モジュール１３２４、制御モジュール１３２６、データベース（Ｄ／Ｂ）１３２８、及びユーザインターフェース１３３０を含み、ネットワークインターフェース１３２０は、第３ジグビー装置１３４０及び駐車案内装置１３１０と接続される。
【００８４】
ネットワークインターフェース１３２０は、第２ジグビー装置１２５５から照明状態情報、駐車状態情報、タグ解釈情報（個人情報、車両情報等）、タグ識別情報などの伝達を受けて、これらの情報を用いてデジタルデータを構成する。
【００８５】
データ解析モジュール１３２２は、ネットワークインターフェース１３２０から照明状態情報、駐車状態情報、タグ解釈情報、及びタグ識別情報などの伝達を受けて、これらを解析して、車両の移動情報、駐車時間情報、駐車料金情報などを生成する。データ解析モジュール１３２２は、タグ側ジグビー装置１１５０からタグ識別情報が順次伝達されれば、これをタグ解釈情報とマッチングさせて車両を識別し、第２ジグビー装置１２５５の座標情報に従って該当車両の移動情報を生成できる。
【００８６】
制御モジュール１３２６は、駐車システムの地図情報、第２ジグビー装置１２５５の座標情報、及びマッピング情報を用いて表示画面を構成し、照明状態情報、駐車状態情報、車両情報、移動情報、駐車時間情報、駐車料金情報などを表示画面に適用して管理画面データを構成できる。
【００８７】
また、タグ側ジグビー装置１１５０から駐車終了情報（駐車されたことを知らせる情報）が第２ジグビー装置１２５５を経由して伝達されれば、データ解析モジュール１３２４は、この時点から駐車時間を計算し、以後、車両が移動するか、駐車案内装置１３１０を通じて精算要求があった時、駐車料金情報を生成できる。
【００８８】
制御モジュール１３２６は、各構成モジュールの動作を制御し、駐車案内装置１３１０の要求に従い必要とする情報を抽出して伝達できる。制御モジュール１３２６により抽出された情報は、ネットワークインターフェース１３２０を介して駐車案内装置１３１０へ伝達され、ネットワークインターフェース１３２０は、汎用非同期送受信回路（Universal Asynchronous Receiver/Transmitter；ＵＡＲＴ）、ユニバーサルシリアルバス（Universal Serial Bus；ＵＳＢ）、直列／並列ケーブル、ＴＣＰ／ＩＰのような有線ネットワークを介して駐車案内装置１３１０と接続できる。
【００８９】
ユーザインターフェース１３３０は、管理画面データを表示して管理者に提供する。上記管理画面データは、多様なフォーマットで構成できるので、管理者はユーザインターフェース１３３０を操作して必要な情報のみを確認するか、多様なフォーマットの画面で管理画面データを管理できる。また、ユーザインターフェース１３３０は、タッチスクリーン、ボタン、キーボードなどの操作手段を備えてもよい。
【００９０】
Ｄ／Ｂ管理モジュール１３２４は、データ解析モジュール１３２２と制御モジュール１３２６から伝えられた情報をデータベース１３２８に記録し、情報の入出力及び削除を制御する。
【００９１】
データベース１３２８は、地図情報、座標情報、及びマッピング情報を備え、この情報を照明状態情報、駐車状態情報、移動情報、及びタグ解釈情報に適用するためのプログラムを搭載しており、このプログラムは制御モジュール１３２６により実行できる。
【００９２】
図１０は、本発明の第１実施形態に従う公共施設管理システムの駐車案内装置の制御ブロック図である。
【００９３】
駐車案内装置１３１０は、ＲＦＩＤインターフェース１３１２、制御部１３１４、ディスプレイ部１３１６、及び第２表示器１３１８を含む。
【００９４】
ＲＦＩＤインターフェース１３１２は、ＲＦＩＤリーダ装置１２１０のようにＲＦＩＤリーダ機能を遂行するように備えられてもよく、駐車者がタグ部１１００を認識させた場合、タグ識別情報を解析してタグ解釈情報を生成する。
【００９５】
制御部１３１４は、ＲＦＩＤインターフェース１３１２からタグ解釈情報が伝えられれば、駐車者が駐車と関連した情報を要求したとみなして、ホスト部１３００にデータを要求する。
【００９６】
ここで、ホスト部１３００はデータベース１３２８から駐車状態情報（該当車両が駐車された駐車区域情報など）、駐車時間情報、及び駐車料金情報を抽出して管理画面データを構成し、構成された管理画面データを駐車案内装置１３１０へ伝達する。
【００９７】
駐車案内装置１３１０は、駐車者がタグ部１１００を認識させた時点を駐車料金情報に反映して最終料金を精算し、精算された駐車料金情報をホスト部１３００へ伝達できる。このような駐車料金情報は、ホスト部１３００のデータベース１３２８に記録される。
【００９８】
駐車案内装置１３１０は、管理画面データをディスプレイ部１３１６を通じて表示し、車両の駐車位置を案内できる。
【００９９】
第２表示器１３１８は、ＬＥＤまたは蛍光灯を備えてもよく、タグ部１１００がＲＦＩＤインターフェース１３１２の通信エリアに進入すれば、制御部１３１４の制御により照明を灯し、通信エリアから外れれば照明を消すことができる。この際、タグ部１１００が通信エリアに進入すれば、照明を点滅させることによって駐車者の注意を喚起させることができる。
【０１００】
図１１は本発明の第１実施形態に従う公共施設管理システムのタグ部の制御ブロック図であり、図１２は本発明の第１実施形態に従う公共施設管理システムのタグが提供する案内画面の一例示図である。
【０１０１】
図１１によれば、タグ部１１００は、電源装置１６１０、ＲＦＩＤタグ装置１１１０、タグ側ジグビー装置１１５０、ディスプレイ部１６５０、インターフェース（Ｉ／Ｆ）回路１６３０、及びボタン部１６６０を含んで構成される。
【０１０２】
電源装置１６１０は、ディスプレイ部１６５０、Ｉ／Ｆ回路１６３０、ボタン部１６６０等、全回路に電源を提供する。
【０１０３】
タグ側ジグビー装置１１５０は、ホスト部１３００に自分の駐車と関連したデータを要求し、ホスト部１３００は要求されたデータを抽出する。ここで、要求されるデータは、タグ識別情報、座標情報、駐車状態情報、駐車時間情報、駐車料金情報などを含んでもよい。
【０１０４】
ホスト部１３００は、抽出されたデータを第３ジグビー装置１３４０を通じてタグ側ジグビー装置１１５０へ伝達し、タグ側ジグビー装置１１５０のプロセッサはこのデータを用いて案内情報を構成する。
【０１０５】
駐車者はボタン部１６６０を操作して選択命令を入力することができ、Ｉ／Ｆ回路１６３０はボタン部１６６０のキー入力信号を割込み信号に変換してタグ側ジグビー装置１１５０へ伝達する。
【０１０６】
仮に、駐車者が「駐車確認」ボタンを押すと、タグ側ジグビー装置１１５０は座標情報にマッチングした駐車状態情報を確認し、ホスト部１３００を通じて車両を離れた駐車者の現在位置を検知する。
【０１０７】
タグ側ジグビー装置１１５０は駐車状態情報を座標情報上で確認し、案内情報を生成する。タグ部１１００を所持した駐車者の移動に伴い、タグ側ジグビー装置１１５０はホスト部１３００を通じて現在位置をリアルタイムで検知し、案内情報を表示する。
【０１０８】
図１２は、案内画面１６００の例示図である。案内画面１６００のボタン部１６６０で「駐車」ボタンは駐車可能な区域を探すためのボタンであり、「駐車情報」ボタンは駐車時間情報、駐車料金情報などを確認するためのボタンである。また、ユーザはモード選択動作に依存せず、直接「ｏｎ／ｏｆｆ」ボタンを押すことで、タグ部１１００の電源装置１６１０を制御できる。
【０１０９】
図１３は本発明の第２実施形態に従う公共施設管理システムの制御ブロック図であって、病院管理システムに本発明を適用した場合を例示したものである。
【０１１０】
図１３に示すように、実施形態に従う病院管理システムは、第１ジグビー装置２１５０とＲＦＩＤタグ装置２１１０とを備えた患者管理装置２１００、第４ジグビー装置２２４０と第２呼出器２２６０とを備えたルータ２２５０、第５ジグビー装置２４１０を備えたホスト部２３００、第２ジグビー装置２１７０と第１呼出器２１８０とを備えた職員管理装置２１６０、第１のＲＦＩＤリーダ装置２２３０と第３ジグビー装置２２２０とを備えた移動ベッド管理装置２２００、第２のＲＦＩＤリーダ装置２５５５を備えた情報提供端末機２５００、及び画像表示装置２４００を含む。
【０１１１】
ＲＦＩＤタグ装置２１１０、第１のＲＦＩＤリーダ装置２２３０、及び第２のＲＦＩＤリーダ装置２５５５は、第１ネットワーク１を介してＲＦＩＤ通信を遂行し、第１ジグビー装置２１５０、第２ジグビー装置２１７０、第３ジグビー装置２２２０、第４ジグビー装置２２４０、及び第５ジグビー装置２４１０は、第２ネットワーク５を介してジグビー通信を遂行する。
【０１１２】
患者管理装置２１００は受付時に患者に発給され、携帯可能なタグ型装置であって、第１ネットワーク１を介してデータを送受信するＲＦＩＤタグ装置２１１０と第２ネットワーク５を介してデータを送受信する第１ジグビー装置２１５０とを含む。
【０１１３】
ＲＦＩＤタグ装置２１１０は、タグ識別情報と共に患者情報を送信する。このようなＲＦＩＤタグ装置２１１０はパッシブタグであり、リーダ器に近接させることで新たな情報を移植／変更させることができるので、患者管理装置２１００が患者に発給される場合、容易に患者情報をＲＦＩＤタグ装置２１１０に記録することができる。
【０１１４】
第１ジグビー装置２１５０は、患者情報を第２ネットワーク５を介して送受信し、患者の位置を追跡するのに使われる。第１ジグビー装置２１５０は、ルータ機能を遂行する第４ジグビー装置２２４０を経由してホスト部２３００と通信を遂行することができる。
【０１１５】
職員管理装置２１６０は、看護婦、医師のような病院関係者に発給され、携帯可能なタグ型装置であって、第２ネットワーク５を介してデータを送受信する第２ジグビー装置２１７０とデータ表示のための第１呼出器２１８０とを含む。
【０１１６】
第２ジグビー装置２１７０は、ジグビー識別情報と共に職員情報を送信する。第２ジグビー装置２１７０は、ルータ機能を遂行する第４ジグビー装置２２４０を経由してホスト部２３００と通信を遂行することができる。したがって、ホスト部２３００は職員の位置を追跡することができ、患者移送情報、職員呼び出し情報などを第２ジグビー装置２１７０へ送信することができる。
【０１１７】
第１呼出器２１８０は、第２ジグビー装置２１７０を通じて受信された患者移送情報、職員呼び出し情報を表示する。第１呼出器２１８０は、オーディオ装置、液晶ディスプレイ（Liquid Crystal Display；ＬＣＤ）などで具現されてもよく、小さなサイズで製作して第２ジグビー装置２１７０と共に携帯可能にすることができる。
【０１１８】
このような構成を有する職員管理装置２１６０は、患者管理装置２１００とは異なり、一度発給されれば持続的に使われる装置であるので、情報のアップグレードが必要である。ここで、第２ジグビー装置２１７０は、職員情報の変更を必要とする場合、ユニバーサルシリアルバス（Universal Serial Bus；ＵＳＢ）、汎用非同期送受信回路（Universal Asynchronous Receiver/Transmitter；ＵＡＲＴ）のような有線転送技術を用いてホスト部２３００に接続して新たな情報をアップデートすることができる。
【０１１９】
移動ベッド管理装置２２００は、身動きが不便な患者を検査または手術する場合、患者を移動させるベッドに取り付けられた装置である。ここで、移動ベッド管理装置２２００は、患者が所持した患者管理装置２１００のＲＦＩＤタグ装置２１１０から患者情報を受信する第１のＲＦＩＤリーダ装置２２３０と、受信された患者情報を第２ネットワーク５へ送信する第３ジグビー装置２２２０と、を含む。ここで、ホスト部２３００はどの患者が移動ベッド上からどこへ移動するかを追跡することができる。
【０１２０】
ルータ２２５０は、患者管理装置２１００、職員管理装置２１６０、移動ベッド管理装置２２００とホスト部２３００との間のデータをルーティングする第４ジグビー装置２２５０、及びデータが表示される第２呼出器２２６０を含む。
【０１２１】
ルータ２２５０の第４ジグビー装置２２４０は、病院の廊下、治療室、検査室、病室、診療室、研究室、薬材室、待機室、資材室、お手洗、院内食堂などの天井に規則的に配列される。したがって、ホスト部２３００は、第４ジグビー装置２２４０の設置エリアを座標化し、これを地図にマッピングすることができる。また、ホスト部２３００は、第４ジグビー装置２２４０の設置情報に従い、第４ジグビー装置２２４０と通信を遂行したジグビー装置の位置を追跡することができる。したがって、ホスト部２３００は、第４ジグビー装置２２４０と通信する患者管理装置２１００、職員管理装置２１６０、または移動ベッド管理装置２２００の位置を追跡して地図上で管理することができる。
【０１２２】
第２呼出器２２６０は、第４ジグビー装置２２４０で受信された患者移送情報、職員呼び出し情報などを表示する。ここで、ルータ２２５０は検査室または手術室に設けられたホスト部２３００から患者移送情報の伝達を受けて、これを第２呼出器２２６０を通じて知らせることによって、病院関係者が時間に合せて検査準備または手術準備を進行することができるようにする。このような第２呼出器２２６０は、第４ジグビー装置２２４０で受信された情報を信号処理して、音声、テキスト、画面などのデータを構成し、駆動信号に変換する。駆動信号に変換された患者移送情報、職員呼び出し情報、患者処置情報などは、スピーカ、電光板、ＬＣＤ、警報器などの出力装置を通じて提供できる。
【０１２３】
ホスト部２３００の第５ジグビー装置２４１０は、コーディネータとして動作して第２ネットワーク５を管理し、各種情報を収集、統計、加工、及び決済処理してから送受信する。ここで、ホスト部２３００は、病院のモニタリングルーム、受付カウンタ、中央などに設けられてもよく、患者、職員の位置管理、診療サービス案内、会計決済、診療スケジューリングなどの機能を遂行することができる。
【０１２４】
また、ホスト部２３００は、情報提供端末機２５００、及び画像表示装置２４００と接続されて各種データを表示することができる。
【０１２５】
例えば、情報提供端末機２５００は、病院のあちこちにキオスク（ＫＩＯＳＫ）の形態で設けられてもよく、ホスト部２３００からデータの伝達を受けて、診療案内、病院施設案内、受付案内などのサービスを顧客に提供する。
【０１２６】
情報提供端末機２５００は、第２のＲＦＩＤリーダ装置２５５５を含んで患者管理装置２１００のＲＦＩＤタグ装置２１１０と通信を遂行して患者を識別する。これによって、情報提供端末機２５００は患者が希望するサービスを提供することができる。
【０１２７】
画像表示装置２４００は、受付カウンタ、診療室、検査室、治療室、病室などに設けられた一種の電光板であって、ホスト部２３００から該当データの伝達を受けて、受付待機順序、診療待機順序、診療者情報、診療スケジュール情報、病室入室者の現況情報などを案内することができる。
【０１２８】
このような構成に従い、病院に出勤した職員は職員管理装置２１６０を着用し、受付カウンタで受付を終えた患者は患者管理装置２１００の発給を受けて着用する。ここで、職員管理装置２１６０及び患者管理装置２１００はカード形態で着用できる。
【０１２９】
患者管理装置２１００の場合、発給と同時に新たな患者に関する情報が発給用リーダ器により記録されてもよく、ホスト部２３００はＲＦＩＤタグ装置２１１０の識別情報及びこれにマッチングされる患者情報をデータベースに登録する。以後、患者が病院を再訪問した場合、管理者はホスト部２３００に患者に関する情報が登録されていることを確認し、該当患者管理装置２１００を探して患者に発給することができる。
【０１３０】
また、患者管理装置２１００の第１ジグビー装置２１５０は、病院の各区域に設けられたルータ２２５０の第４ジグビー装置２２４０と通信を遂行し、第４ジグビー装置２２４０は、第１ジグビー装置２１５０の患者情報をホスト部２３００へ伝達する。ここで、ホスト部２３００は第４ジグビー装置２２４０の座標情報によって患者の位置を追跡することができる。例えば、職員は患者が出入禁止区域にいるか否か、病室に入室したか否か、治療／診療時間に他の場所にいるか否かなどを把握して患者を管理できる。
【０１３１】
患者が患者管理装置２１００を情報提供端末機２５００に近接させれば、ＲＦＩＤタグ装置２１１０及び第２のＲＦＩＤリーダ装置２５５５はＲＦＩＤ通信を遂行し、第２のＲＦＩＤリーダ装置２５５５はタグ識別情報によりＲＦＩＤタグ装置２１１０を識別した後、ホスト部２３００から該当患者情報を受信する。このような情報提供端末機２５００は、タッチスクリーンのようなユーザインターフェースを提供して患者が希望するサービスの種類を入力するようにし、ホスト部２３００に必要なデータを要求することも可能である。
【０１３２】
ここで、情報提供端末機２５００は、診療時間、診療者スケジュール、診療待機順序、待機時間などの診療案内情報、病院内の施設の種類、位置、利用時間案内などの施設案内情報、駐車場位置、駐車現況、駐車時間、駐車料金決済などの駐車案内情報、診察料金の受領と関連した決済案内情報、処方箋案内情報などを画面に提供することができる。
【０１３３】
一方、患者が移動ベッドに横になっている場合、患者管理装置２１００のＲＦＩＤタグ装置２１１０は、移動ベッド管理装置２２００の第１のＲＦＩＤリーダ装置２２３０に患者情報を送信し、第３ジグビー装置２２２０は第４ジグビー装置２２４０を経由してホスト部２３００に患者情報及び第１リーダ識別情報を転送する。したがって、ホスト部２３００はどの患者がどの移動ベッドを利用し、移動ベッドの移動ルートを検知することによって患者の位置を追跡することができる。
【０１３４】
ホスト部２３００は、患者の診療／治療スケジュールを確認し、現在位置に従って診療／手術／検査準備を上記ルータ２２５０の第２呼出器２２６０に指示することができる。
【０１３５】
また、ホスト部２３００は、患者移送情報、職員呼び出し情報、患者処置情報などを第２ネットワーク５を介してルータ２２５０へ伝達し、ルータ２２５０は第２呼出器２２６０に伝達された情報をマルチメディア情報に変換して提供する。
【０１３６】
図１４は、本発明の第２実施形態に従う公共施設管理システムのホスト部の制御ブロック図である。
【０１３７】
ホスト部２３００は、位置追跡モジュール２３２０、決済モジュール２３３０、情報処理モジュール２３４０、Ｄ／Ｂ管理モジュール２３５０、画像Ｉ／Ｆ（Interface）モジュール２３６０、制御モジュール２３７０、データベース（DataBase；Ｄ／Ｂ）２３８０、ユーザインターフェース２３９０、及び第５ジグビー装置２４１０を含む。
【０１３８】
データベース２３８０は、患者受付情報、ルータ２２５０の座標情報、病院の地図情報、マッチング情報、診療案内情報、施設案内情報、駐車案内情報、決済案内情報、処方箋案内情報、患者移送情報、職員呼び出し情報、患者処置情報、病室入室者の現況情報、職員／患者位置情報などを格納する。
【０１３９】
位置追跡モジュール２３２０は、ルータ２２５０の情報が伝達されれば、該当ルータ２２５０の座標情報、地図情報、及びマッチング情報に基づいて、ルータ２２５０と通信した患者管理装置２１００、職員管理装置２１６０、及び移動ベッド管理装置２２００を識別し、該当装置の位置情報を生成する。このような位置情報は、ルータ２２５０の情報伝達周期に従って周期的に生成されてリアルタイムにデータベース２３８０に記録される。ここで、データベース２３８０に記録された位置情報は患者または職員の移動情報として活用できる。
【０１４０】
決済モジュール２３３０は、患者受付情報と患者位置情報とを比較して、患者が実際診療／治療を受けたかを確認し、決済情報を生成する。
【０１４１】
情報処理モジュール２３４０は、ルータ２２５０の第２呼出器２２６０、職員管理装置２１６０の第１呼出器２１８０、情報提供端末機２５００、及び画像表示装置２４００に提供される情報をデータベース２３８０から抽出し、目的地によってデータパケットを構成する。このように構成されたデータパケットは、第５ジグビー装置２４１０、あるいは有線ネットワークを介して職員管理装置２１６０、ルータ２２５０、情報提供端末機２５００、及び画像表示装置２４００へ転送できる。
【０１４２】
例えば、診療案内情報、施設案内情報、駐車案内情報、決済案内情報、処方箋案内情報などは、有線ネットワークを介して情報提供端末機２５００へ伝達されてもよく、診療案内情報、処方箋案内情報、病室入室者の現況情報などは、画像表示装置２４００へ伝達できる。また、職員呼び出し情報、患者移送情報、患者処置情報などは、第２ネットワーク５を介してルータ２２５０の第２呼出器２２６０または職員管理装置２１６０の第１呼出器２１８０へ伝達できる。
【０１４３】
ユーザインターフェース２３９０は、データベース２３８０に記録されたデータを修正するか、職員管理装置２１６０、ルータ２２５０、情報提供端末機２５００、及び画像表示装置２４００へ伝達されたデータの種類を選択するか、病院運用に関連した情報、各種案内情報などを修正する場合、情報入力用画面を提供し、入力されたデータをＤ／Ｂ管理モジュール２３５０または該当アルゴリズムを処理するモジュールへ伝達する。このようなユーザインターフェース２３９０は、タッチスクリーン、ボタン、キーボードなどの操作手段を備えることができる。
【０１４４】
Ｄ／Ｂ管理モジュール２３５０は、各モジュールがデータを要求する場合、データベース２３８０のデータ入出力を制御し、データの記録／修正／削除などを処理する。
【０１４５】
画像Ｉ／Ｆモジュール２３６０は、画像表示装置２４００に提供されるデータのフォーマットを画面規格に合うように構成し、構成されたデータを画像表示装置２４００の駆動回路に伝達する。
【０１４６】
制御モジュール２３７０は第５ジグビー装置２４１０と接続されて、第５ジグビー装置２４１０で受信されたジグビーデータを解釈可能なデジタルデータに変換し、変換されたデータを各構成モジュールに伝達する。また、制御モジュール２３７０はカーネルを備えて各モジュールとのインターフェースを提供し、割込みを処理し、要求処理時間及び演算順位を与えて各モジュールが順次動作されるようにする。
【０１４７】
図１５は、本発明の第２実施形態に従う公共施設管理システムの情報提供端末機が表示する画面の例示図である。
【０１４８】
図１５（ａ）は、患者が患者管理装置２１００を情報提供端末機２５００に接触させた場合の初期タッチスクリーン画面を例示したものであり、図１５（ｂ）は、診療案内情報及び処方箋案内情報を提供する画面を例示したものである。
【０１４９】
また、図１５（ｃ）は、情報提供端末機２５００が表示する施設案内情報を例示したものであり、図１５（ｄ）は、決済情報、処方箋情報などをプリンタで出力するための案内画面を例示したものである。
【０１５０】
図１６は、本発明の第３実施形態に従う公共施設管理システムの制御ブロック図であって、売り場管理システムに本発明を適用した場合の例示図である。
【０１５１】
図１６に示すように、売り場管理システムは、訪問者タグ３３００と物品に取り付けられるＲＦＩＤタグ装置３４００を含み、各タグ３３００、３４００から受信した識別情報を処理及び伝達する棚表示装置３１００、棚管理装置３２００、及びルータ３７００を含み、識別情報を処理して売り場の訪問者の物品などの移動を管理する一方、訪問者側に販売情報などの付加情報を提供するホスト部３５００と、データ表示のための個人端末機３６００、及び第２画像表示装置３８００を含む。
【０１５２】
訪問者タグ３３００はカード型タグであって、カートに設けられるか、売り場進入時に顧客に発給できる。訪問者タグ３３００は、ジグビーネットワークである第２ネットワーク５を介してデータを送受信する第３ジグビー装置３３１０を含む。第３ジグビー装置３３１０は、棚管理装置３２００の第２ジグビー装置３２１０及びルータ３７００の第６ジグビー装置３７１０へ機器識別情報を送信する。このような第３ジグビー装置３３１０は、充電用コネクタを介して電源の供給を受けることができる。
【０１５３】
ＲＦＩＤタグ装置３４００は物品に取り付けられたタグであって、物品の識別情報を含むことができる。
【０１５４】
棚管理装置３２００は、所定個数の棚を単位グループにして複数設けられる。棚管理装置３２００は、第１ネットワーク１を介してＲＦＩＤタグ装置３４００のタグ識別情報を受信するＲＦＩＤリーダ装置３２２０と、第２ネットワーク５を介してデータを送受信する第２ジグビー装置３２１０と、を含む。
【０１５５】
棚表示装置３１００は電子棚札（Electronic Shelf Label；ＥＳＬ）の一種であって、棚に陳列された物品の種類によって複数設置され、物品情報、広告情報、セール（sale）情報、割引情報、先着順募集情報、顧客位置情報、掲示板情報などを表示する。このような棚表示装置３１００は、第１画像表示装置３１１０、画像制御装置３１２０、及び第１ジグビー装置３１３０を含む。
【０１５６】
ホスト部３５００は、第４ジグビー装置３５１０、モバイル（mobile）サーバ３５２０、及び管理サーバ３５３０を含む。
【０１５７】
個人端末機３６００は第５ジグビー装置３６１０を含み、ルータ３７００は第６ジグビー装置３７１０、照明器３７２０、及び照度センサ３７３０を含む。
【０１５８】
第２画像表示装置３８００はホスト部３５００に接続され、第７ジグビー装置３８１０を含む。
【０１５９】
以上の構成において、ＲＦＩＤタグ装置３４００及びＲＦＩＤリーダ装置３２２０は、ＲＦＩＤチャンネルが設定される第１ネットワーク１を介してタグ識別情報を送受信する。
【０１６０】
そして、第１ジグビー装置３１３０乃至第６ジグビー装置３７１０は、ジグビーチャンネルが設定される第２ネットワーク５を介してデータを送受信する。ここで、棚表示装置３１００の第１ジグビー装置３１３０、訪問者タグ３３００の第３ジグビー装置３３１０、及び個人端末機３６００の第５ジグビー装置３６１０は、限定機能デバイス（Reduced Function Device；ＲＦＤ）で備えられてもよい。棚管理装置３２００の第２ジグビー装置３２１０及びルータ３７００の第６ジグビー装置３７１０は、ルーティング機能を遂行できるフル機能デバイス（Full Function Device；ＦＦＤ）で備えられる。そして、ホスト部３５００の第４ジグビー装置３５１０は、パーソナルエリアネットワーク（Personal Area Network；ＰＡＮ）コーディネータ（coordinator）として動作される。
【０１６１】
このような構成により、物品が棚に陳列された状態または顧客に選択されてカートに積まれた状態で物品のＲＦＩＤタグ装置３４００はタグ識別情報を棚管理装置３２００のＲＦＩＤリーダ装置３２２０へ転送する。
【０１６２】
棚管理装置３２００は、ＲＦＩＤタグ装置３４００から物品情報の転送を受けて棚表示装置３１００とホスト部３５００へ転送する。
【０１６３】
ここで、棚表示装置３１００は棚に陳列された物品の情報を表示できる。
【０１６４】
そして、ホスト部３５００は、ＲＦＩＤタグ３４００（物品）が棚に陳列された場合、棚の物品陳列情報を生成できる。
【０１６５】
一方、ＲＦＩＤタグ３４００（物品）がカートに積まれた場合、ホスト部３５００は棚管理装置３２００の第２ジグビー装置３２１０の位置を追跡して物品移動情報を生成することができる。
【０１６６】
棚管理装置３２００は、訪問者タグ３３００の信号をホスト部３５００の第４ジグビー装置３５１０へ伝達し、ホスト部３５００は訪問者タグ３３００の信号を伝達した第２ジグビー装置３２１０の位置を追跡して顧客位置情報を生成することができる。
【０１６７】
棚管理装置３２００は、物品情報、広告情報、セール情報、割引情報、先着順募集情報、顧客位置情報、掲示板情報、及び物品移動情報をホスト部３５００から転送を受けて棚表示装置３１００へ転送し、棚表示装置３１００は転送された情報を表示することができる。このような場合、第４ジグビー装置３５１０、第２ジグビー装置３２１０、及び第１ジグビー装置３１３０が通信を遂行する。
【０１６８】
このように、棚管理装置３２００の第２ジグビー装置３２１０は、第６ジグビー装置３７１０と共にルータ機能を遂行し、第１ジグビー装置３１３０、第３ジグビー装置３３１０、第４ジグビー装置３５１０、及び第５ジグビー装置３６１０と通信を遂行する。
【０１６９】
ルータ３７００の第６ジグビー装置３７１０は、ジグビーネットワークを構成するルーティング機能を遂行し、訪問者タグ３３００、個人端末機３６００、及びホスト部３５００のジグビー装置３３１０、３６１０、３５１０と通信を遂行する。本実施形態において、ルータ３７００は売り場の天井に規則的に配列された照明器３７２０と共に設けられているものとする。したがって、ホスト部３５００は、照明器３７２０の配列を座標化し、照明器３７２０と共に設けられたルータ３７００の位置を解析してルータ３７００の第６ジグビー装置３７１０と通信を遂行する訪問者管理装置３３００の位置を追跡することができる。
【０１７０】
ホスト部３５００の第４ジグビー装置３５１０は、棚管理装置３２００及びルータ３７００のジグビー装置３２１０、３７１０と通信を遂行して各種の情報を収集することができる。ここで、ホスト部３５００は、訪問者タグ３３００の機器識別情報を伝達した棚管理装置３２００またはルータ３７００の位置を追跡して顧客位置情報を生成することができる。顧客位置情報は、顧客の現在位置情報、及び移動経路情報を含む。
【０１７１】
ホスト部３５００の管理サーバ３５３０は、送受信した情報を収集、統計、決済処理して売り場を管理するコンピュータである。管理サーバ３５３０は、物品情報、広告情報、セール情報、割引情報、先着順募集情報、顧客位置情報、物品移動情報、決済情報、顧客嗜好情報、第６ジグビー装置３７１０の座標情報、地図情報、物品陳列情報、在庫情報などを処理する。
【０１７２】
ホスト部３５００のモバイルサーバ３５２０は、個人端末機３６００を通じて要求された掲示板情報を第１ジグビー装置３１３０へ伝達して、第１画像表示装置３１１０が個人掲示板として活用できるようにする。
【０１７３】
個人端末機３６００は、売り場を訪問した顧客が所持する携帯電話、スマートフォン、携帯情報端末（Personal Digital Assistance；ＰＤＡ）フォンのような移動通信端末機であって、実施形態に従う売り場管理システムと共に構築されるものではない。しかしながら、上記個人端末機３６００がジグビー通信装置、即ち第５ジグビー装置３６１０を備えた場合、第２ネットワーク５に接続し、各種情報を処理できるので、実施形態では売り場管理システムの一部構成要素として取扱うことにする。
【０１７４】
ここで、売り場管理者は上記棚表示装置３１００を顧客が個人掲示板として活用できるようにするサービスを提供することができる。ここで、掲示板情報は顧客が個人端末機３６００を操作して生成したマルチメディア情報を意味する。
【０１７５】
仮に、顧客が個人掲示板サービスを要求した場合、売り場管理者はホスト部３５００のモバイルサーバ３５２０に接続できる第２接続番号を発給し、顧客の個人端末機３６００は上記第２接続番号を通じて上記モバイルサーバに接続した後、上記掲示板情報を転送することができる。
【０１７６】
顧客が個人掲示板サービスを要求した場合、売り場管理者はホスト部３５００に個人端末機３６００のネットワーク情報を登録し、顧客は個人端末機３６００を通じて掲示板情報を棚表示装置３１００へ転送することができる。
【０１７７】
また、顧客は個人端末機３６００を操作してマルチメディアデータを生成し、これを掲示板情報として構成することができる。掲示板情報は、個人端末機３６００の第５ジグビー装置３６１０を通じて棚表示装置３１００の第１ジグビー装置３１３０へ転送されて、棚表示装置３１００は掲示板情報を表示することができる。
【０１７８】
即ち、個人端末機３６００の第５ジグビー装置３６１０は、掲示板情報を第２ジグビー装置３２１０または第６ジグビー装置３７１０を通じて第１ジグビー装置３１３０へ転送できる。掲示板情報は、移動通信網を通じてモバイルサーバ３５２０で収集され、データ加工された後、第４ジグビー装置３５１０を通じて棚表示装置３１００へ転送できる。
【０１７９】
一方、個人端末機３６００の第５ジグビー装置３６１０は、訪問者タグ３３００の第３ジグビー装置３３１０と同様に、第２ジグビー装置３２１０または第６ジグビー装置３７１０と通信を遂行してその位置を追跡することができる。このような第５ジグビー装置３６１０は、個人端末機３６００のバッテリから電源の供給を受けることができる。
【０１８０】
第２画像表示装置３８００は、売り場の廊下、案内デスクなどに設けられて迷子の位置、現在顧客位置情報、売り場地図情報などを案内する装置であって、仮にキオスク（ＫＩＯＳＫ）形態で備えられてもよい。第２画像表示装置３８００は、管理サーバ３５３０と有線で接続されて案内情報の転送を受け、上記認識された第３ジグビー装置３３１０または第５ジグビー装置３６１０の機器識別情報、及び顧客情報を管理サーバ３５３０へ転送する。
【０１８１】
顧客は訪問者タグ３３００の第３ジグビー装置３３１０または個人端末機３６００の第５ジグビー装置３６１０を上記第２画像表示装置３８００の第７ジグビー装置３８１０に認識させ、タッチスクリーンのようなインターフェース手段を通じて顧客情報を登録させることができる。
【０１８２】
このような構成により、売り場を訪問した顧客は、訪問者タグ３３００の発給を受けて所持するか、訪問者タグ３３００が設けられたカートを受け取る。ここで、顧客が子供と一緒に訪問した場合、子供は迷子防止用訪問者タグ３３００を別に発給を受けて、カード、首飾り、及び腕輪の形態で着用できる。タグの発給時、訪問者タグ３３００の機器識別情報とマッチングされる顧客情報は管理サーバ３５３０に登録できる。または、前述した通り、第２画像表示装置３８００の第７ジグビー装置３８１０を通じて機器識別情報、顧客情報を登録できる。顧客情報は、訪問者タグ３３００を発給した者、例えば売り場管理者により管理サーバ３５３０に登録されてもよく、顧客の名前、居住地、連絡先などの個人情報を含むことができる。
【０１８３】
物品が棚に陳列された場合、ＲＦＩＤタグ装置３４００は機器識別情報と共に物品情報を棚管理装置３２００のＲＦＩＤリーダ装置３２２０へ伝達し、ＲＦＩＤリーダ装置３２２０は伝えられた情報を解析する。ＲＦＩＤタグ装置３４００の機器識別情報は、ＭＡＣアドレスのようなハードウェア情報を含むことができ、物品情報は、商品の種類、価格、製造業者、流通期限などを含むことができる。
【０１８４】
ＲＦＩＤデータフォーマットである物品情報は、ホスト部３５００で規定したフォーマットのデジタルデータとして解釈され、解釈された物品情報は棚管理装置３２００の第２ジグビー装置３２１０を通じて棚表示装置３１００の第１ジグビー装置３１３０及びホスト部３５００の第４ジグビー装置３５１０へ伝えられる。
【０１８５】
棚表示装置３１００へ伝えられた物品情報は、画像制御装置３１２０でマルチメディアデータで構成され、第１画像表示装置３１１０はマルチメディアデータで構成された物品情報を表示する。
【０１８６】
ホスト部３５００へ伝えられた物品情報は管理サーバ３５３０へ伝達され、管理サーバ３５３０は物品情報を反映して物品陳列情報を修正する。ＲＦＩＤリーダ装置３２２０は棚に設けられた状態であり、管理サーバ３５３０はＲＦＩＤリーダ装置３２２０のリーダ識別番号に従って棚を識別する。したがって、管理サーバ３５３０はどの棚にどんな物品が陳列されたかを解析することができる。
【０１８７】
顧客が物品を選択してカートに積んだ場合、ＲＦＩＤタグ装置３４００は棚管理装置３２００のＲＦＩＤリーダ装置３２２０へ物品情報を伝達し、ＲＦＩＤリーダ装置３２２０へ伝達された物品情報は、第２ジグビー装置３２１０を通じてホスト部３５００の第４ジグビー装置３５１０へ伝達される。ここで、第２ジグビー装置３２１０から送信された物品情報は、ルータ３７００を経由してホスト部３５００へ伝達することができる。
【０１８８】
ホスト部３５００の管理サーバ３５３０は、物品情報を送信した棚管理装置３２００の座標を地図にマッピングし、物品移動情報を生成することができる。また、ホスト部３５００は、物品情報を転送した棚管理装置３２００と訪問者タグ３３００の機器識別情報を転送した棚管理装置３２００の位置をマッチングして、顧客がどの物品を購買したかを解析することができる。したがって、管理サーバ３５３０は、顧客位置情報、物品移動情報、及び物品情報により、決済情報、（棚の上の物品数量を反映した）物品陳列情報、在庫情報、及び顧客嗜好情報を処理することができる。
【０１８９】
例えば、顧客嗜好情報は、顧客により選択された物品情報、移動位置に従うショッピング経路、移動時間（仮に、各々異なる第２ジグビー装置３２１０、または第６ジグビー装置３７１０から物品情報が伝えられる時間差により計算できる）、物品の購買にかかった時間（購買決定時間）などを含むことができる。ここで、管理サーバ３５３０は、顧客嗜好情報を反映して売り場管理者に顧客関係管理（Customer Relationship Management；ＣＲＭ）サービスを提供することができる。
【０１９０】
管理サーバ３５３０は、物品移動情報が生成された後、即ち棚から物品が消えた時点から一定時間内に会計カウンタで決済がなされなければ、盗難が発生したと解析できる。
【０１９１】
管理サーバ３５３０は、顧客位置情報と物品移動情報とをマッチングし、顧客が売り場を離れたと判断されたが、マッチングされた物品の決済がなされなければ、盗難が発生したと解析することができ、顧客情報を追跡してどの顧客により盗難されたかが分かる。
【０１９２】
一方、顧客が物品をカートに積む前、選択のために物品を取った場合が有りえ、この時には棚管理装置３２００によって検知できる。
【０１９３】
このような場合、ＲＦＩＤリーダ装置３２２０は、棚の種々のエリアに設けられた多数のアンテナを備え、顧客が物品を取ることによって物品位置に変化が生じた場合、ＲＦＩＤタグ装置３４００の物品情報を受信したアンテナを識別して物品移動情報を生成する。この時の物品移動情報は、棚の周辺の狭いエリアで発生した物品の小さな位置変化を検知したものであり、このような場合、顧客が物品を見た後、元の場所または近くの他の場所に置いても、物品移動情報が生成されることがある。
【０１９４】
ここで、ＲＦＩＤリーダ装置３２２０は、アンテナに基づく物品移動情報をリアルタイムに生成し、物品移動情報は、第２ジグビー装置３２１０を通じてホスト部３５００の管理サーバ３５３０へ伝えられる。
【０１９５】
ここで、管理サーバ３５３０は、アンテナに基づく物品移動情報がリアルタイムに伝えられることによって受信時間差を計算し、顧客が該当物品を見ていた時間を計算する。
【０１９６】
また、アンテナに基づく物品移動情報が生成された場合、管理サーバ３５３０は該当物品がイベント物品であるか否かを検索し、該当物品の広告情報、セール情報、及び割引情報を棚表示装置３１００の第１ジグビー装置３１３０へ伝達する。したがって、棚表示装置３１００は、物品を見る顧客にリアルタイムに購買案内サービスを提供することができる。
【０１９７】
広告情報、セール情報、割引情報などを確認した顧客が該当物品をカートに積んだ場合、棚管理装置３２００またはルータ３７００は物品情報を前述したように管理サーバ３５３０へ伝達し、管理サーバ３５３０は物品情報が受信された時間順に先着順募集情報を生成する。先着順募集情報は、物品の決済情報が生成される場合、割引率の適用基準にすることができる。
【０１９８】
一方、迷子発生時には迷子に着用された訪問者タグ３３００が棚管理装置３２００またはルータ３７００と通信を遂行することによって、その位置の追跡を受けることができる。
【０１９９】
管理サーバ３５３０は、迷子の顧客位置情報を生成し、これを第２画像表示装置３８００に伝達するか、あるいは第４ジグビー装置３５１０を通じて棚表示装置３１００へ伝達する。ここで、第２画像表示装置３８００または棚表示装置３１００は、地図情報、及びマッピング情報を持っているので、伝えられた迷子の顧客位置情報を地図上に表示して表示することができる。
【０２００】
更に他の実施形態によれば、個人端末機３６００を通じて各種サービスを提供することができる。
【０２０１】
ホスト部３５００のモバイルサーバ３５２０は、個人端末機３６００と同様に、ＲＦ送受信モジュール、ベースバンドモジュール、及び演算モジュールを含み、通信プロトコルを備えて移動体通信事業者の基地局との通信が遂行できるコンピュータである。
【０２０２】
顧客は売り場に入場する時、モバイルサーバ３５２０に接続できる接続番号の案内を受けて、迷子の位置の確認を受けたい時、または、棚表示装置３１００を個人掲示板として利用したい時、モバイルサーバ３５２０に接続することができる。
【０２０３】
仮に、接続番号は迷子探しサービスを利用するための番号（以下、「第１接続番号」という）と個人掲示板サービスを利用するための番号（以下、「第２接続番号」という）とに分類できる。
【０２０４】
顧客が個人端末機３６００を通じて第１接続番号に接続し、迷子の顧客情報をショートメッセージサービス（Short Message Service；ＳＭＳ）で転送した場合、モバイルサーバ３５２０は顧客情報を管理サーバ３５３０へ伝達すると共に、迷子の顧客位置情報を検索することを要求する。ここで、管理サーバ３５３０は売り場への入場時に登録された顧客情報とマッチングされる迷子の顧客位置情報を確認し、確認された顧客位置情報をモバイルサーバ３５２０へ伝達する。モバイルサーバ３５２０は、該当迷子の顧客位置情報を文字データで構成し、これを個人端末機３６００へ転送する。したがって、顧客は文字メッセージを確認し、迷子の位置を確認することができる。
【０２０５】
一方、顧客が個人端末機３６００を通じて第２接続番号に接続し、個人掲示板用マルチメディアデータ（文字、絵、動画等）を転送した場合、モバイルサーバ３５２０は、マルチメディアデータを管理サーバ３５３０へ伝達すると共に、個人掲示板機能を起動することを要求する。
【０２０６】
管理サーバ３５３０へ伝えられたマルチメディアデータは、第４ジグビー装置３５１０を経由し、第２ジグビー装置３２１０または第６ジグビー装置３７１０を経由して、第１ジグビー装置３１３０へ伝達され、画像制御装置３１２０は、マルチメディアデータを信号処理して第１画像表示装置３１１０へ伝達する。ここで、第１画像表示装置３１１０は、画面規格に合うように信号処理されたマルチメディアデータを表示する。
【０２０７】
このような個人掲示板機能は、モバイルサーバ３５２０を利用せず、即ち移動通信を利用せずに第２ネットワーク５を介しても可能である。
【０２０８】
顧客が個人端末機３６００を操作してマルチメディアデータの転送を命令した場合、第５ジグビー装置３６１０は、マルチメディアデータをジグビーデータに変換し、これを第２ジグビー装置３２１０または第６ジグビー装置３７１０へ転送する。第２ジグビー装置３２１０または第６ジグビー装置３７１０へ転送されたマルチメディアデータは第１ジグビー装置３１３０へ転送され、前述したように、第１画像表示装置３１１０を通じて表示できる。
【０２０９】
また、棚表示装置３１００は顧客の注意を喚起させるために、棚に陳列された物品の広告情報、セール情報、割引情報などを抽出して、物品情報と共にランダムに表示できる。
【０２１０】
管理サーバ３５３０は、物品と関連した新たな情報が発生した場合、アップグレード情報を生成し、これを第４ジグビー装置３５１０、第２ジグビー装置３２１０（または、第６ジグビー装置３７１０）、及び第１ジグビー装置３１３０を通じて棚表示装置３１００へ伝達することができる。画像制御装置３１２０は、アップグレード情報が伝えられれば、広告情報、セール情報、割引情報などをアップグレードし、アップグレードされた情報を表示する。
【０２１１】
管理サーバ３５３０は、ユーザインターフェースを介して照明管理画面を提供し、管理者はこれを操作して照明器３７２０を制御することができる。
【０２１２】
管理サーバ３５３０は照明制御情報が入力されれば、これを第４ジグビー装置３５１０へ伝達し、第４ジグビー装置３５１０は照明制御情報を第６ジグビー装置３７１０へ伝達する。第６ジグビー装置３７１０は、照明制御情報に従い駆動回路または電源を制御することによって、照明器３７２０をオン／オフまたはディミング（dimming）させることができる。
【０２１３】
ここで、照明器３７２０は、蛍光灯、発光ダイオード（Light Emitting Diodes；ＬＥＤ）等、多様な装置で備えられてもよい。そして、照度センサ３７３０は天井に設けられ、第６ジグビー装置３７１０と接続される。照度センサ３７３０は光量の検知情報を第６ジグビー装置３７１０へ伝達し、第６ジグビー装置３７１０は照度環境に従い照明器３７２０の動作を制御することができる。
【０２１４】
または、第６ジグビー装置３７１０は照明器３７２０の動作情報をホスト部３５００へ転送し、ホスト部３５００は第６ジグビー装置３７１０の座標情報を地図情報とマッピングする。ホスト部３５００は、地図情報上に該当照明器３７２０の動作情報を表示してユーザインターフェースに提供することで、管理者は売り場内の照明状態を監視することができる。
【０２１５】
図１７は、本発明の第３実施形態に従う公共施設管理システムの第３ジグビー装置３３１０の制御ブロック図である。
【０２１６】
訪問者タグ３３００の第３ジグビー装置３３１０は、アンテナ３３３１、ＲＦ受信モジュール３３３２、ＲＦ送信モジュール３３３５、位相同期回路３３３３、電力制御回路３３３４、ＭＡＣ処理モジュール３３３６、制御モジュール３３３７、コネクタ３３１８、及び充電回路３３１９を含む。第３ジグビー装置３３１０は、図７を参照して説明したジグビー装置２３０（図７参照）と構成及び動作が類似するので、重複する説明は省略する。
【０２１７】
コネクタ３３１８は、携帯電話の充電ポートと類似の接続装置であって、２４ピンコネクタなど、多様な接続装置を用いて具現できる。
【０２１８】
充電回路３３１９は、充電用バッテリ、充電状態検知回路、電源安定化回路などを含み、充電された電源を電力制御回路３３３４へ伝達する。
【０２１９】
普通、顧客の便宜のために、売り場のあちこちに携帯電話充電器を備えるが、顧客は携帯電話充電器を用いて上記訪問者タグ３３００を容易に充電させることができる。
【０２２０】
図１８は、本発明の第３実施形態に従う公共施設管理システムの棚管理装置と棚表示装置が棚の電源供給装置と接続される回路構造の例示図であり、図１９は、本実施形態に従う棚管理装置３２００と棚表示装置３１００が棚３０４１に設けられた形態の例示図である。
【０２２１】
棚表示装置３１００の第１画像表示装置３１１０は、単純な文字データだけでなく、広告情報、及び掲示板情報のようなマルチメディアデータを表示する表示装置であって、仮にカラー液晶ディスプレイ（Liquid Crystal Display；ＬＣＤ）などで具現できる。
【０２２２】
第１画像表示装置３１１０がカラーＬＣＤで具現された場合、電力消費量が大きくなり、図９に示すように、１つの棚３０４１に多くの棚表示装置３１００が設けられるので、第１画像表示装置３１１０の電源をバッテリで供給するには限界がある。
【０２２３】
したがって、本実施形態では、図１８に示すように、売り場管理システム用棚３０４１には別の電源供給装置３０３０が備えられる。
【０２２４】
電源供給装置３０３０は、棚構造物に１つずつ設けられてもよく、電源線（Ｖｃｃ）と接地線（ＧＮＤ）が各々棚管理装置３２００及び棚表示装置３１００に並列に接続される。
【０２２５】
図１９は、本発明の第３実施形態に従う公共施設管理システムの棚管理装置と棚表示装置が棚に設けられた形態の例示図である。
【０２２６】
図１９に示すように、電源供給装置３０３０は売り場の電源線との接続を容易にするために、棚の最下段部に設けられ、棚管理装置３２００は棚に１つずつ設けられる。
【０２２７】
また、棚表示装置３１００は廊下に向かった棚側面に複数設けられ、電源線（Ｖｃｃ）と接地線（ＧＮＤ）は、棚内部通路を通じて棚管理装置３２００及び棚表示装置３１００を電源供給装置３０３０と接続させる。
【０２２８】
図２０は、本発明の第３実施形態に従う公共施設管理システムの棚表示装置が棚に設けられる場合、その組立構造の例示図である。
【０２２９】
一般的な売り場の棚は、棚表示装置３１００が設けられるにはその幅が狭く、したがって、多様なサイズの棚表示装置３１００を取り付けることに困難性がある。
【０２３０】
また、棚表示装置３１００が接着部材により棚に取り付けられる場合、着脱が可能でないので、陳列形態に従い棚表示装置３１００の位置を調整することが困難である。
【０２３１】
図２０を参照すると、棚表示装置３１００のハウジング３１４０の後面に第１結合部３１４２が形成され、棚３０４１の廊下に向かった側面は結合部３１４２を着脱させるための第２結合部３０４３が形成される。
【０２３２】
第１結合部３１４２は、端部に突出部が形成された突起形態を有し、金属材質からなる。
【０２３３】
第１結合部３１４２は２つであって、第２結合部３０４３に結合される場合、電源供給装置３０３０の電源線（Ｖｃｃ）と接地線（ＧＮＤ）と各々接続され、ハウジング３１４０の内部の画像表示装置３１００、画像制御装置３１２０、及び第１ジグビー装置３１３０と電気的に接続される。
【０２３４】
第２結合部３０４３は、棚３０４１の廊下に向かった側面の開放口の上下端部に第１結合部３１４２と結合される係止段形態で設けられる。ここで、第１結合部３１４２は、開放口を通じて棚３０４１の内部に進入され、第１結合部３１４２の突出部は第２結合部３０４３に係止結合して弾力的に支持できる。
【０２３５】
また、上下の第２結合部３０４３の内側に電源線（Ｖｃｃ）及び接地線（ＧＮＤ）と接続される電極３０４４が各々形成されるので、第１結合部３１４２が第２結合部３０４３に結合される場合、電気的な接続がなされる。即ち、第１結合部３１４２と第２結合部３０４３は、機械的な結合を可能にするだけでなく、電気的なコネクタの役目も担う。
【０２３６】
したがって、売り場管理者は多様なサイズの棚表示装置３１００を棚に着脱させることができ、その位置を自由に調整することができる。
【０２３７】
以上、実施形態を中心として説明したが、これは単に例示であり、本発明を限定するのでなく、本発明が属する分野の通常の知識を有する者であれば、本発明の本質的な特性から外れない範囲で以上に例示されていない種々の変形及び応用が可能であることが分かる。例えば、実施形態に具体的に表れた各構成要素は変形して実施することができる。そして、このような変形及び応用に関連した差異点は添付された請求範囲で規定する本発明の範囲に含まれるものと解釈されるべきである。
【産業上の利用可能性】
【０２３８】
公共施設の設備の資源管理に利用できる。
【図１】
2011501287.tif 000003
【図２（ａ）】
2011501287.tif 000004
【図２（ｂ）】
2011501287.tif 000005
【図２（ｃ）】
2011501287.tif 000006
【図３】
2011501287.tif 000007
【図４】
2011501287.tif 000008
【図５】
2011501287.tif 000009
【図６】
2011501287.tif 000010
【図７】
2011501287.tif 000011
【図８】
2011501287.tif 000012
【図９】
2011501287.tif 000013
【図１０】
2011501287.tif 000014
【図１１】
2011501287.tif 000015
【図１２】
2011501287.tif 000016
【図１３】
2011501287.tif 000017
【図１４】
2011501287.tif 000018
【図１５】
2011501287.tif 000019
【図１６】
2011501287.tif 000020
【図１７】
2011501287.tif 000021
【図１８】
2011501287.tif 000022
【図１９】
2011501287.tif 000023
【図２０】
2011501287.tif 000024
【国際調査報告】
2011501287.tif 000025
2011501287.tif 000026